(57)【要約】【課題】携帯電話を手のひらに適合フイットさせて誤って落下することを可及的に防止でき、ユーザにとって利便性を向上させる。【解決手段】携帯電話２の携帯電話ケース３と、携帯電話ケースに露出可能に組み込まれたディスプレイ４と、携帯電話を操作する操作部５とを備え、携帯電話ケースは湾曲形状に形成される。【選択図】図１
0003167670.tif 000002
【実用新案登録請求の範囲】
【請求項１】
携帯電話の携帯電話ケースと、前記携帯電話ケースに露出可能に組み込まれたディスプレイと、前記携帯電話を操作する操作部とを備え、
前記携帯電話ケースは湾曲形状に形成されることを特徴とする携帯電話構造。
【請求項２】
前記携帯電話ケースの下面は、前記携帯電話を担持する担持状態における手のひらの湾曲形凹状形状に対応して湾曲形凸状形状に形成されていることを特徴とする請求項１記載の携帯電話構造。
【請求項３】
前記携帯電話ケースの上面は、前記携帯電話ケースの下面の湾曲形凸状形状に対応して湾曲形凹状形状に形成されていることを特徴とする請求項２記載の携帯電話構造。
【請求項４】
前記携帯電話ケースの上面は、扁平形状に形成されていることを特徴とする請求項１記載の携帯電話構造。
【請求項５】
前記携帯電話ケースは、前記操作部を有する操作部ケースと、前記ディスプレイに連結されるサブケースとから構成され、前記操作部ケース及び前記サブケースは前記ディスプレイをポップアップして露出するために前記ディスプレイが前記操作部ケースの内部で相対的にスライド可能に構成されることを特徴とする請求項１記載の携帯電話構造。
【請求項６】
前記携帯電話ケースは、前記操作部を有する操作部下ケースと、前記ディスプレイを組み込むディスプレイ上ケースとから構成され、前記操作部下ケース及び前記ディスプレイ上ケースは前記ディスプレイを露出するために相対的に開閉可能に構成されることを特徴とする請求項１記載の携帯電話構造。
【請求項７】
前記操作部は前記ディスプレイ上でタッチパネルにより構成され、前記ディスプレイを露出させて前記ディスプレイは前記携帯電話ケースに嵌合されて構成されることを特徴とする請求項１記載の携帯電話構造。
【考案の詳細な説明】
【技術分野】
【０００１】
本考案は携帯電話構造に係わり、特に携帯電話が手のひらに適合フイットして誤って落下することを可及的に防止でき、ユーザにとって利便性が頗る向上するというメリットを齎す携帯電話構造に関する。
【背景技術】
【０００２】
従来から、携帯電話において、様々な構造又は形状をもった形態の携帯電話デザインが提案されている。
【０００３】
このような携帯電話は例外なく携帯電話本体ケースが扁平形状を呈している（例えば、特許文献１−特許文献４）。
【０００４】
携帯電話本体ケースがこのような扁平形状を呈しているのは、一般の電子機器における表示部や操作部が、扁平液晶ディスプレイ（ＬＣＤ）を使用していることから、設計上、慣例的に扁平形状をとっているためと考えられる。
【先行技術文献】
【特許文献】
【０００５】
【特許文献１】実用新案登録第３０９５５７６号公報（図４）
【特許文献２】特開２００８−２６３３３２号公報（図１）
【特許文献３】特開２０１０−３４９０４号公報（図１）
【特許文献４】特開２０１０−１７８１８８号公報（図１）
【考案の概要】
【考案が解決しようとする課題】
【０００６】
しかしながら、このような携帯電話本体ケースでは、携帯電話本体ケースが扁平形状に形成され、携帯電話を担持する片手の手のひらが担持状態では湾曲形に凹状になっているため、したがって両者が適合フイットしないことから携帯電話が手から度々誤って落下してしまう状況をもたらすという難点が惹起する。
【０００７】
本考案は、これらの難点を解決するためになされたもので、人間工学的手法を採用することにより、携帯電話が手のひらに適合フイットして誤って落下することを可及的に防止できるための携帯電話構造を提供することを目的とする。
【課題を解決するための手段】
【０００８】
このような目的を達成するため、本考案の携帯電話構造は、携帯電話の携帯電話ケースと、携帯電話ケースに露出可能に組み込まれたディスプレイと、携帯電話を操作する操作部とを備え、携帯電話ケースは湾曲形状に形成される。
【０００９】
本考案の携帯電話構造において、携帯電話ケースの下面は、携帯電話を担持する担持状態における手のひらの湾曲形凹状形状に対応して湾曲形凸状形状に形成されている。
【００１０】
本考案の携帯電話構造において、携帯電話ケースの上面は、携帯電話ケースの下面の湾曲形凸状形状に対応して湾曲形凹状形状に形成されている。
【００１１】
本考案の携帯電話構造において、携帯電話ケースの上面は、扁平形状に形成されている。
【００１２】
本考案の携帯電話構造において、携帯電話ケースは、操作部を有する操作部ケースと、ディスプレイに連結されるサブケースとから構成され、操作部ケース及びサブケースはディスプレイをポップアップして露出するためにディスプレイが操作部ケースの内部で相対的にスライド可能に構成される。
【００１３】
本考案の携帯電話構造において、携帯電話ケースは、操作部を有する操作部下ケースと、ディスプレイを組み込むディスプレイ上ケースとから構成され、操作部下ケース及びディスプレイ上ケースはディスプレイを露出するために相対的に開閉可能に構成される。
【００１４】
本考案の携帯電話構造において、操作部はディスプレイ上でタッチパネルにより構成され、ディスプレイを露出させてディスプレイは携帯電話ケースに嵌合されて構成される。
【考案の効果】
【００１５】
本考案の携帯電話構造によれば、少なくとも携帯電話の下面が手のひらに適合フイットして誤って落下することを可及的に防止でき、ユーザにとって利便性が頗る向上するというメリットを齎すものである。
【図面の簡単な説明】
【００１６】
【図１】本考案の第１の形態による携帯電話構造であって、（ａ）は待受時の平面図、（ｂ）は待受時の下側面図、（ｃ）は待受時の斜視図、（ｄ）は通話時の斜視図、（ｅ）は（ａ）のＡ−Ａ断面図を示す。
【図２】本考案の第２の形態による携帯電話構造であって、（ａ）は通話時の斜視図、（ｂ）は待受時の下側面図を示す。
【図３】本考案の第３の形態による携帯電話構造であって、（ａ）は待受時から通話時に至るメニュ画面を表示した斜視図、（ｂ）は待受時の下側面図を示す。
【考案を実施するための形態】
【００１７】
以下、本考案の携帯電話構造を好ましい実施の形態例について図面を参照して詳述する。
【００１８】
図１（ａ）−（ｄ）に示すように、携帯電話構造１は、携帯電話２の携帯電話ケース３と、携帯電話ケース３に露出可能に組み込まれたディスプレイ４と、携帯電話２を操作する操作部５とを備えている。
【００１９】
携帯電話ケース３はアルミ鋳造製とし、ディスプレイはＬＥＤバックライト液晶（ＬＣＤ）又は有機ＥＬで形成するのが望ましい。
【００２０】
携帯電話ケース３内には、ディスプレイ４に加えて、アンテナ、ディスプレイ駆動回路、通信回路、メモリー、ＣＰＵ等の電子回路が搭載され、ウェブブラウザー、電子メール、無線ＬＡＮ、ワンセグ受信、お財布携帯、カメラ撮影等の機能をもっている。
【００２１】
本考案の枢要な特徴によれば、携帯電話構造１において、携帯電話ケース３は湾曲形状に形成される。
【００２２】
本考案の携帯電話構造１において、携帯電話ケース３の下面６は、携帯電話２を担持する担持状態における手のひらの湾曲形凹状形状に対応して湾曲形凸状形状に形成されている。
【００２３】
本考案の携帯電話構造において、携帯電話ケース３の上面７は、携帯電話ケース３の下面６の湾曲形凸状形状に対応して湾曲形凹状形状に形成されている。
【００２４】
本考案の第１の形態による携帯電話構造１において、携帯電話ケース３は、操作部５を有する操作部ケース３ａと、ディスプレイ４に連結されるサブケース３ｂとから構成される。
【００２５】
操作部ケース３ａ及びサブケース３ｂはディスプレイ４を露出するためにディスプレイ４が操作部ケース３ａの内部で相対的にスライド（ポップアップ＝スライドアップ）可能に構成されてスライド型携帯電話を構成している（図１（ｃ）、（ｄ））。
【００２６】
第１の形態例において、このスライド構造は、ディスプレイ４をポップアップして露出するためにガイドレールとガイド溝によってスライド可能とされ、ストッパーでそのストロークが制限される構成とされている。
【００２７】
このスライド構造を構成するために、ディスプレイ４を搭載する基板には両側にガイド溝１１、１１、底部にガイド溝１３がそれぞれ形成され、これらのガイド溝に対応して操作部ケース３ａには両側にガイドレール１０、１０、上部にガイドレール１２がそれぞれ形成されている。逆に、これらのガイド溝を操作部ケース３ａにそれぞれ設け、これらのガイドレールをディスプレイ４を搭載する基板にそれぞれ設けてもよい(図１（ｄ）、（ｅ）)。
【００２８】
このように基板に搭載されているディスプレイ４は操作部ケース３ａの内部でスライド可能とされている。したがって、このような携帯電話構造１によれば、携帯電話２自体の厚みが薄く構成でき、小型化が可能となり、軽量化されるとともに、携帯電話２の機構強度が大幅に強化されることから好ましい携帯電話構造が構築される。
【００２９】
ディスプレイ４のスライド量及びガイドレール１０、１０、１２のスライド量は、これらのスライド量が最大長さになった段階でストッパーによって、そのストロークが制限され、この時点でディスプレイ４の全画面が露出するように構成されている(図１（ｄ）)。
【００３０】
このスライド構造において、ディスプレイ４はワンタッチ操作で機械的又は電気的手段によってポップアップ＝スライドアップする機能とされている。
【００３１】
また、携帯電話ケース３において、操作部ケース３ａの上端はカーブ状に形成しもよく、また、これに対応してサブケース３ｂの下端はカーブ状に形成してもよい。
【００３２】
図２に示すように、本考案の第２の形態による携帯電話構造１において、携帯電話ケース３は、操作部５を有する操作部下ケース３ｃと、ディスプレイ４を組み込むディスプレイ上ケース３ｄとから構成される。
【００３３】
操作部下ケース３ｃ及びディスプレイ上ケース３ｄはディスプレイ４を露出するために相対的に開閉可能に構成される。このために操作部下ケース３ｃ及びディスプレイ上ケース３ｄはヒンジ８で連結されて開閉型携帯電話を構成している（図２（ａ）、（ｂ））。
【００３４】
第２の形態例において、携帯電話ケース３の下面６は、携帯電話２を担持する担持状態における手のひらの湾曲形凹状形状に対応して湾曲形凸状形状に形成されている。
【００３５】
また、携帯電話ケース３の上面７は、携帯電話ケース３の下面６の湾曲形凸状形状に対応して湾曲形凹状形状に形成されている。この場合、ディスプレイ４は扁平形状であってもよい。
【００３６】
図３に示すように、本考案の第３の形態による携帯電話構造１において、操作部５はディスプレイ４上でタッチパネル９により構成される。
【００３７】
第３の形態例において、ディスプレイ４を露出させてディスプレイ４は携帯電話ケース３に嵌合されて構成されスマートフォン若しくはタブレット型携帯電話を構成している（図３（ａ）、（ｂ））。
【００３８】
第３の形態例において、携帯電話ケース３の下面６は、携帯電話２を担持する担持状態における手のひらの湾曲形凹状形状に対応して湾曲形凸状形状に形成されている。
【００３９】
また、携帯電話ケース３の上面７は、携帯電話ケース３の下面６の湾曲形凸状形状に対応して湾曲形凹状形状に形成されてもよい。この場合、ディスプレイ４は図示のように扁平形状であってもよい。なお、携帯電話ケース３の上面７を扁平形状とすれば、指又はタッチペンでタブレット機能を実行する際に好都合である。
【００４０】
以上のように構成された携帯電話構造１によれば、少なくとも携帯電話２の下面が手のひらに適合フイットして誤って落下することを可及的に防止でき、ユーザにとって利便性が頗る向上するというメリットを齎すものである。
【産業上の利用可能性】
【００４１】
本考案の携帯電話構造は、スライド型、開閉型又はスマートフォン若しくはタブレット型の形態をもつ携帯電話に好適に適用可能である。
【符号の説明】
【００４２】
１・・・携帯電話構造
２・・・携帯電話
３・・・携帯電話ケース
３ａ・・・操作部ケース
３ｂ・・・サブケース
３ｃ・・・操作部下ケース
３ｄ・・・ディスプレイ上ケース
４・・・ディスプレイ
５・・・操作部
６・・・下面
７・・・上面
９・・・タッチパネル
【図１】
0003167670.tif 000003
【図２】
0003167670.tif 000004
【図３】
0003167670.tif 000005